(57)【要約】【課題】微振動制御時にノズル開口から液体が誤って吐出されることを防止し、尚かつ液体の攪拌効果を十分に得ることが可能な微振動パルス設定方法、及び、液体吐出装置を提供する。【解決手段】微振動パルスの駆動電圧を検査電圧に設定しノズル開口から吐出されるインクの吐出量を測定する吐出インク量測定工程と、パルス幅を異ならせて吐出インク量測定工程を複数回実行して得られた各測定結果からパルス幅−吐出液体量特性を取得するパルス幅−吐出インク量特性取得工程と、パルス幅−吐出インク量特性に基づき最適パルス幅を取得する最適パルス幅取得工程と、各工程を異なる複数の検査電圧で実行した各測定結果から電圧−パルス幅特性を求める電圧−パルス幅特性取得工程と、液体が吐出されない範囲の駆動電圧を微振動駆動電圧として設定すると共に当該微振動駆動電圧に対応するパルス幅を微振動パルス幅として設定する微振動パルス設定工程とを経る。【選択図】図６
2009160827.tif 000002
【特許請求の範囲】
【請求項１】
駆動信号の印加により圧力発生手段を駆動することで圧力発生室内に圧力変動を生じさせ、当該圧力変動によってノズル開口から液体を吐出可能な吐出ヘッドと、前記圧力発生室を膨張させる微振動膨張要素および膨張した圧力発生室を収縮させる微振動収縮要素を有し、液体が吐出されない程度にノズル開口に露出したメニスカスを微振動させるための微振動パルスを含む駆動信号を発生する駆動信号発生手段と、を備える液体吐出装置の微振動パルス設定方法であって、
前記微振動パルスの駆動電圧をノズル開口から液体を吐出し得る検査電圧に設定し、当該微振動パルスを圧力発生手段に印加してノズル開口から吐出される液体の量を測定する吐出液体量測定工程と、
微振動膨張要素の始点から前記微振動収縮要素の始点までのパルス幅を異ならせて前記吐出液体量測定工程を複数回実行して得られた各測定結果から、パルス幅に対する吐出液体量の関係を示すパルス幅−吐出液体量特性を取得するパルス幅−吐出液体量特性取得工程と、
前記パルス幅−吐出液体量特性に基づき、吐出液体量が最も多く得られるパルス幅を最適パルス幅として取得する最適パルス幅取得工程と、
前記吐出液体量測定工程、前記パルス幅−吐出液体量特性取得工程、及び前記最適パルス幅取得工程を異なる複数の検査電圧で実行して得られた各測定結果から、駆動電圧に対する最適パルス幅の関係を示す電圧−パルス幅特性を求める電圧−パルス幅特性取得工程と、
ノズル開口から液体が吐出されない範囲の駆動電圧を微振動駆動電圧として設定すると共に、前記電圧−パルス幅特性に基づき微振動駆動電圧に対応するパルス幅を微振動パルス幅として設定する微振動パルス設定工程と、を経て微振動パルスを設定することを特徴とする微振動パルス設定方法。
【請求項２】
前記微振動パルス設定工程において、前記電圧−パルス幅特性に基づく駆動電圧とパルス幅に設定して微振動パルスを圧力発生手段に印加してノズル開口からの液体の吐出の有無を検証し、当該検証結果に基づきノズル開口から液体が吐出されない駆動電圧を微振動駆動電圧として設定することを特徴とする請求項１に記載の微振動パルス設定方法。
【請求項３】
前記微振動パルス設定工程において、微振動駆動電圧を、液体を吐出するための吐出パルスの吐出駆動電圧の２／３以下に設定することを特徴とする請求項１に記載の微振動パルス設定方法。
【請求項４】
駆動信号の印加により圧力発生手段を駆動することで圧力発生室内に圧力変動を生じさせ、当該圧力変動によってノズル開口から液体を吐出可能な吐出ヘッドと、
前記圧力発生室を膨張させる微振動膨張要素および膨張した圧力発生室を収縮させる微振動収縮要素を有し、液体が吐出されない程度にノズル開口に露出したメニスカスを微振動させるための微振動パルスを含む駆動信号を発生する駆動信号発生手段と、
を備える液体吐出装置であって、
請求項１から請求項３の何れか一項に記載の微振動パルス設定方法によって得られた微振動パルス設定情報および電圧−パルス幅特性を記憶する情報記憶手段を設け、
前記駆動信号発生手段は、前記情報記憶手段に記憶されている微振動パルス設定情報に基づく微振動駆動電圧およびパルス幅に設定された微振動パルスを発生することを特徴とする液体吐出装置。
【請求項５】
液体吐出装置の使用環境における環境温度を検出する温度検出手段と、
前記温度検出手段によって検出された温度、前記情報記憶手段に記憶されている微振動パルス設定情報、および電圧−パルス幅特性に基づいて前記微振動パルスの微振動駆動電圧およびパルス幅を補正する微振動パルス補正手段と、を備えることを特徴とする請求項４に記載の液体吐出装置。
【請求項６】
前記圧力発生手段は、前記圧力発生室の一方の面に設けられた可撓性電極と、当該可撓性電極に対して間隔を空けて対向配置された固定電極とを有し、各電極間に駆動信号を印加して、これらの間に発生する静電気力によって前記可撓性電極を撓ませることにより、前記圧力発生室内に圧力変動を生じさせるように構成されたことを特徴とする請求項４又は請求項５に記載の液体吐出装置。
【発明の詳細な説明】
【技術分野】
【０００１】
本発明は、インクジェット式プリンタ等の液体吐出装置に適用される微振動パルス設定方法、及び、液体吐出装置に関するものであり、特に、微振動パルスの設定情報の最適化を図ることが可能な微振動パルス設定方法、及び、液体吐出装置に関するものである。
【背景技術】
【０００２】
液体吐出装置は吐出ヘッドを備え、この吐出ヘッドから各種の液体を吐出する装置である。この液体吐出装置の代表的なものとして、例えば、吐出ヘッドとしてのインクジェット式記録ヘッド（以下、単に記録ヘッドという）を備え、この記録ヘッドから吐出対象物としての記録紙等に対して液体状のインクを吐出・着弾させてドットを形成することで記録を行うインクジェット式プリンタ（以下、単にプリンタという）等の画像記録装置を挙げることができる。この液体吐出装置は、近年においては、画像記録装置に限らず、例えばディスプレー製造装置等の各種の製造装置にも応用されている。
【０００３】
この種の液体吐出装置ではノズル開口において液体が外気に晒されているため、液体に含まれる溶媒成分が蒸発する等して、液体が増粘することがある。このような液体の増粘を抑制するため、この種の液体吐出装置では、ノズル開口から液体が吐出されない程度に圧力発生室内の液体に圧力変動を与える微振動制御が行われている（例えば、特許文献１参照）。この微振動制御により、ノズル開口に露出している液体の自由表面（以下、メニスカス）が微振動し、ノズル開口付近の液体が攪拌されて増粘が防止される。このようなメニスカスの微振動制御は、液体を吐出するための吐出パルスよりも駆動電圧を低く抑えた台形状の微振動パルスを圧力発生手段に印加することで行われている。
【０００４】
【特許文献１】特開２００４−３３０５２４号公報
【発明の開示】
【発明が解決しようとする課題】
【０００５】
図９は、駆動信号に含まれる微振動パルスの構成の一例を示す波形図である。この例では、対向電極間に発生する静電気力により圧力発生室を区画する弾性面を弾性変形させてノズル開口から液体を吐出するように構成された静電アクチュエータを採用する吐出ヘッドに用いられる微振動パルスを示している。この微振動パルスＶＰは、圧力発生室を基準容積から微振動膨張容積まで膨張させる微振動膨張要素ｐｃと、圧力発生室を微振動膨張容積で維持させる微振動ホールド要素ｐｈと、圧力発生室を微振動膨張容積から基準容積まで収縮させる微振動収縮要素ｐｄとから構成される。微振動膨張要素ｐｃは、接地電位ＧＮＤよりも少しだけ高い基準電位Ｖｂから微振動電位Ｖｈまで液体を吐出させない程度の所定勾配で電位を上昇させる波形要素となる。また、微振動ホールド要素ｐｈは微振動電位Ｖｈで一定の波形要素となり、微振動収縮要素ｐｄは微振動電位Ｖｈから基準電位Ｖｂまで所定勾配で電位を下降させる波形要素となる。
【０００６】
上記微振動パルスの設定情報に関し、駆動電圧（接地電位ＧＮＤから微振動電位Ｖｈまでの電位差。以下、微振動駆動電圧）については、吐出パルスに対する比率（例えば、２／３以下）や吐出パルスのパルス幅との関係等で、ヘッド毎に最適な値に設定されていた。一方、微振動パルスにおける波形要素の発生時間幅、即ち、微振動膨張要素ｐｃの時間幅Ｐｗｃ、微振動収縮要素ｐｄの時間幅Ｐｗｄ、微振動膨張要素ｐｃの始端から微振動収縮要素ｐｄの始端までの時間幅ｋＰｗ（本発明におけるパルス幅に相当）などは、全てのヘッドに一律な固定値に定められていた。
【０００７】
しかしながら、上記のような微振動パルスの設定情報、特に、パルス幅を固定とした構成では、例えば、ヘッド内部の流路の寸法公差や液体の粘度の変動や吐出ヘッドの揺動による圧力振動の変動等、諸条件が変化することにより、微振動時にノズルから液体が誤って吐出される可能性があった。逆に、同様な理由から、液体を攪拌する微振動の効果が十分に得られなくなる可能性もあった。
【０００８】
本発明は、このような事情に鑑みてなされたものであり、その目的は、微振動制御時にノズル開口から液体が誤って吐出されることを防止し、尚かつ液体の攪拌効果を十分に得ることが可能な微振動パルス設定方法、及び、液体吐出装置を提供することにある。
【課題を解決するための手段】
【０００９】
本発明の微振動パルス設定方法は、上記目的を達成するために提案されたものであり、駆動信号の印加により圧力発生手段を駆動することで圧力発生室内に圧力変動を生じさせ、当該圧力変動によってノズル開口から液体を吐出可能な吐出ヘッドと、前記圧力発生室を膨張させる微振動膨張要素および膨張した圧力発生室を収縮させる微振動収縮要素を有し、液体が吐出されない程度にノズル開口に露出したメニスカスを微振動させるための微振動パルスを含む駆動信号を発生する駆動信号発生手段と、を備える液体吐出装置の微振動パルス設定方法であって、
前記微振動パルスの駆動電圧をノズル開口から液体を吐出し得る検査電圧に設定し、当該微振動パルスを圧力発生手段に印加してノズル開口から吐出される液体の量を測定する吐出液体量測定工程と、
微振動膨張要素の始点から前記微振動収縮要素の始点までのパルス幅を異ならせて前記吐出液体量測定工程を複数回実行して得られた各測定結果から、パルス幅に対する吐出液体量の関係を示すパルス幅−吐出液体量特性を取得するパルス幅−吐出液体量特性取得工程と、
前記パルス幅−吐出液体量特性に基づき、吐出液体量が最も多く得られるパルス幅を最適パルス幅として取得する最適パルス幅取得工程と、
前記吐出液体量測定工程、前記パルス幅−吐出液体量特性取得工程、及び前記最適パルス幅取得工程を異なる複数の検査電圧で実行して得られた各測定結果から、駆動電圧に対する最適パルス幅の関係を示す電圧−パルス幅特性を求める電圧−パルス幅特性取得工程と、
ノズル開口から液体が吐出されない範囲の駆動電圧を微振動駆動電圧として設定すると共に、前記電圧−パルス幅特性に基づき微振動駆動電圧に対応するパルス幅を微振動パルス幅として設定する微振動パルス設定工程と、を経て微振動パルスを設定することを特徴とする。
【００１０】
上記構成によれば、ノズル開口から液体が吐出されない範囲の駆動電圧を微振動駆動電圧として設定すると共に、電圧−パルス幅特性に基づき微振動駆動電圧に対応するパルス幅を微振動パルス幅として設定するので、吐出ヘッド毎に微振動パルスの設定値を最適化することができ、これにより、微振動制御時にノズル開口から液体が誤って吐出されることを防止しつつ微振動制御による液体の攪拌効果を十分に得ることが可能となる。
【００１１】
また、前記微振動パルス設定工程において、前記電圧−パルス幅特性に基づく駆動電圧とパルス幅に設定して微振動パルスを圧力発生手段に印加してノズル開口からの液体の吐出の有無を検証し、当該検証結果に基づきノズル開口から液体が吐出されない駆動電圧を微振動駆動電圧として設定することが望ましい。
【００１２】
さらに、前記微振動パルス設定工程において、微振動駆動電圧を、液体を吐出するための吐出パルスの吐出駆動電圧の２／３以下に設定することも可能である。
【００１３】
また、本発明の液体吐出装置は、駆動信号の印加により圧力発生手段を駆動することで圧力発生室内に圧力変動を生じさせ、当該圧力変動によってノズル開口から液体を吐出可能な吐出ヘッドと、
前記圧力発生室を膨張させる微振動膨張要素および膨張した圧力発生室を収縮させる微振動収縮要素を有し、液体が吐出されない程度にノズル開口に露出したメニスカスを微振動させるための微振動パルスを含む駆動信号を発生する駆動信号発生手段と、
を備える液体吐出装置であって、
請求項１から請求項３の何れか一項に記載の微振動パルス設定方法によって得られた微振動パルス設定情報および電圧−パルス幅特性を記憶する情報記憶手段を設け、
前記駆動信号発生手段は、前記情報記憶手段に記憶されている微振動パルス設定情報に基づく微振動駆動電圧およびパルス幅に設定された微振動パルスを発生することを特徴とする。
【００１４】
上記構成によれば、ノズル開口から液体が吐出されない範囲の駆動電圧を微振動駆動電圧として設定すると共に、電圧−パルス幅特性に基づき微振動駆動電圧に対応するパルス幅を微振動パルス幅として設定するので、吐出ヘッド毎に微振動パルスの設定値を最適化することができ、これにより、微振動制御時にノズル開口から液体が誤って吐出されることを防止しつつ微振動制御による液体の攪拌効果を十分に得ることが可能となる。
【００１５】
また、上記構成において、液体吐出装置の使用環境における環境温度を検出する温度検出手段と、
前記温度検出手段によって検出された温度、前記情報記憶手段に記憶されている微振動パルス設定情報、および電圧−パルス幅特性に基づいて前記微振動パルスの微振動駆動電圧およびパルス幅を補正する微振動パルス補正手段と、を備える構成を採用することが望ましい。
【００１６】
上記構成によれば、環境温度、微振動パルス設定情報、および電圧−パルス幅特性に基づいて微振動パルスの微振動駆動電圧およびパルス幅を補正することで、液体吐出装置を使用する際の環境温度が変わった場合においても、この温度の変化に応じて微振動パルスのパラメータをより適切な値にすることができる。これにより、環境温度の変化に拘らず、微振動制御時における液体の吐出をより確実に防止し、尚且つ、液体の攪拌効果をより確実に確保することが可能となる。
【００１７】
また、上記構成において、前記圧力発生手段が、前記圧力発生室の一方の面に設けられた可撓性電極と、当該可撓性電極に対して間隔を空けて対向配置された固定電極とを有し、各電極間に駆動信号を印加して、これらの間に発生する静電気力によって前記可撓性電極を撓ませることにより、前記圧力発生室内に圧力変動を生じさせるように構成された場合に好適である。
【発明を実施するための最良の形態】
【００１８】
以下、本発明を実施するための最良の形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下においては、本発明の液体吐出装置（液体噴射装置）として、図１に示すインクジェット式プリンタ（以下、プリンタと略記する）を例示する。
【００１９】
図１は、本発明に係るプリンタ１の構成を示す平面図である。このプリンタ１は、外郭の一部を構成するフレーム１′と、このフレーム１′内に配設されたプラテン３とを備えており、紙送り機構８（図４参照）における紙送りモータの駆動により回転する紙送りローラ（何れも図示せず）によってプラテン３上に記録紙（記録媒体又は吐出対象物の一種：図示せず）が搬送されるようになっている。また、フレーム１′内には、プラテン３と平行にガイドロッド４が架設されており、このガイドロッド４には、インクジェット式記録ヘッド２（吐出ヘッドの一種。以下、記録ヘッド）を収容したキャリッジ５が摺動可能に支持されている。このキャリッジ５は、キャリッジ移動モータ９の駆動によって回転する駆動プーリ１０ａと、この駆動プーリ１０ａとはフレーム１′における反対側に設けられた遊転プーリ１０ｂとの間に架設されたタイミングベルト１１に接続されている。そして、キャリッジ５は、キャリッジ移動モータ９を駆動することで、ガイドロッド４に沿って紙送り方向と直交する主走査方向に往復移動するように構成されている。即ち、これらのキャリッジ移動モータ９、駆動プーリ１０ａ、遊転プーリ１０ｂ、及び、タイミングベルト１１によりキャリッジ移動機構７（図４参照）が構成されている。
【００２０】
キャリッジ移動モータ９は、キャリッジ移動機構７における駆動源として機能し、例えば、パルスモータやＤＣモータが用いられる。このキャリッジ移動モータ９は、制御手段として機能する制御部３５（図４参照）により、その回転速度や回転方向等が制御される。そして、キャリッジ移動モータ９が回転すると、駆動プーリ１０ａ及びタイミングベルト１１が回転し、キャリッジ５がガイドロッド４に沿って移動する。つまり、キャリッジ４に搭載された記録ヘッド２は、制御部３５による制御の下で主走査方向に往復移動される。なお、キャリッジ５の走査位置については、走査位置に応じたエンコーダパルスを主走査方向における位置情報として出力するリニアエンコーダ（図示せず）によって把握することができる。
【００２１】
フレーム１′の一側には、インクカートリッジ６（液体貯留部材の一種）が着脱可能に搭載されており、本実施形態では合計４個のインクカートリッジ６が設けられる。このインクカートリッジ６は、エアチューブ１２を介してエアポンプ１３と接続されており、このエアポンプ１３からの空気が各インクカートリッジ６内に供給される。そして、この空気によるインクカートリッジ６内の加圧により、インク供給チューブ１４を通じて記録ヘッド２側にインクが供給（圧送）されるように構成されている。インク供給チューブ１４は、例えば、シリコーン等の合成樹脂で作製された可撓性を有する中空部材であり、このインク供給チューブ１４の内部には、各インクカートリッジ６に対応するインク流路が形成されている。
【００２２】
図２は、本実施形態の記録ヘッド２の構成を示す分解斜視図であり、図３は、記録ヘッド２の圧力発生室長手方向の断面図である。この記録ヘッド２は、シリコン製の流路形成基板１５の一方の面に、同じくシリコン製のノズル形成基板１６を、流路形成基板１５の他方の面に、ガラス製の電極基板１７を各々配置して積層し、各部材間を接着剤によって接合することで３層構造となっている。
【００２３】
上記ノズル形成基板１６は、ドット形成密度に対応したピッチ（例えば１８０ｄｐｉ）で複数のノズル開口１６ｎを列状に開設した板材である。上記流路形成基板１５には、その表面から異方性エッチングを施すことにより、インク流路となる溝部が形成されており、この溝部の開口部分がノズル形成基板１６によって塞がれることにより、各ノズル開口１６ｎに対応して設けられた複数の圧力発生室１９、各圧力発生室共通のインクが導入される共通インク室２０（共通液体室）、及び、共通インク室２０と各圧力発生室１９とを連通するインク供給路２１から成る一連のインク流路が区画される。
【００２４】
流路形成基板１５において、共通インク室２０となる溝部の底面には、基板厚さ方向に貫通したインク導入口２２が開設されている。また、各圧力発生室１９となる溝部の底面（一方の面）には、ヘッド積層方向（図３において上下方向）に弾性変位可能な弾性面として機能する薄肉部２３が形成されている。そして、流路形成基板１５には共通電極端子１８が形成されており、この流路形成基板１５は導電性を有するので、上記薄肉部２３は、共通電極（本発明における可撓性電極に相当）としても機能するようになっている。
【００２５】
上記電極基板１７は、例えば、ホウ珪酸ガラスによって作製されている。このホウ珪酸ガラスは、熱膨張率がシリコンと同程度である。このため、温度変化によるヘッド構成部材間の剥離が生じ難くなっている。この電極基板１７の流路形成基板１５に接合される面において、圧力発生室１９の薄肉部２３に対向する位置には、トレイ状に浅くエッチングされた凹部２４が、各圧力発生室１９に対応して形成されている。この凹部２４の底面には、インジウムスズ酸化物（ＩＴＯ）などの薄膜を積層して形成された個別電極２５がそれぞれ敷設されている。各個別電極２５は、各圧力発生室１９に対応して延在するセグメント電極２５ａと、外部に露出している電極端子部２５ｂとから構成されている。そして、電極基板１７を流路形成基板１５に接合すると、各圧力発生室１９の薄肉部２３と各個別電極２５のセグメント電極２５ａとが、狭小な隙間を形成した状態でそれぞれ対向する。
【００２６】
また、この電極基板１７には、基板厚さ方向を貫通したインク導入路１７′が形成されており、このインク導入路１７′は、流路形成基板１５との接合状態でインク導入口２２と連通するようになっている。このインク導入路１７′とインク導入口２２を通じて、例えばプリンタ本体側に設けられたインクカートリッジ６からのインクが共通インク室２０内に導入されるようになっている。そして、共通インク室２０のインクは、この共通インク室２０から分岐したインク供給路２１を通って各圧力発生室１９に分配供給される。
【００２７】
流路形成基板１５の共通電極端子１８と、電極基板１７の個別電極２５との間には、プリンタコントローラ２９（図４参照）側からの駆動電圧（駆動信号）が印加される。駆動電圧が基準電位（又は接地電位）よりも＋側に変化することにより、可撓性電極として機能する薄肉部２３と個別電極２５との間に静電気力が発生し、この静電気力によって、薄肉部２３が弾性変形して個別電極２５側に撓み、セグメント電極２５ａの表面に吸着する。この結果、圧力発生室１９の容積が増加して、インク供給路２１を通じて共通インク室２０側からインクが圧力発生室１９内に流入する。そして、駆動電圧が−側（接地電位側）に急激に変化して静電気力が急激に減少すると、薄肉部２３はその弾性力によってセグメント電極２６ａの表面から離れて圧力発生室１９側に変位する。その結果、圧力発生室１９の容積が急激に減少する。これにより、圧力発生室１９内のインクに圧力変動が生じ、この圧力変動によってノズル開口１６ｎからインクが吐出（噴射）される。即ち、薄肉部２３、共通電極端子１８、個別電極２５、及び薄肉部２３は、圧力発生源２６（本発明における圧力発生手段）として機能する。
【００２８】
図４は、プリンタ１の電気的な構成を示すブロック図である。本実施形態におけるプリンタ１は、プリンタコントローラ２９とプリントエンジン３０とで概略構成されている。プリンタコントローラ２９は、ホストコンピュータ等の外部装置からの印刷データ等が入力される外部インタフェース（外部Ｉ／Ｆ）３１と、各種データ等を記憶するＲＡＭ３２と、各種制御のための制御プログラム等を記憶したＲＯＭ３３と、ＥＥＰＲＯＭやフラッシュＲＯＭ等からなる不揮発性記憶素子３４と、ＲＯＭ３３に記憶されている制御プログラムに従って各部の統括的な制御を行う制御部３５と、クロック信号を発生する発振回路３６と、記録ヘッド２へ供給する駆動信号を発生する駆動信号発生回路３７（駆動信号発生手段の一種）と、印刷データをドット毎に展開することで得られたドットパターンデータや駆動信号等を記録ヘッド２に出力するための内部インタフェース（内部Ｉ／Ｆ）３８とを備えている。
【００２９】
プリントエンジン３０は、記録ヘッド２と、キャリッジ移動機構７と、紙送り機構８とから構成されている。また、プリントエンジン３０には、サーミスタ及びＡ／Ｄ変換器等で構成される温度検出回路３９が設けられている。この温度検出回路３９は、本発明における温度検出手段として機能し、プリンタ１の周辺（特に記録ヘッド周辺）の環境温度を検出し、検出した温度に比例した大きさの信号を制御部３５に出力するように構成されている。
【００３０】
上記の駆動信号発生回路３７は、予め定められた波形の駆動信号ＣＯＭを発生する。
図５は、本実施形態における駆動信号の構成を説明する波形図であり、（ａ）は吐出用駆動信号ＣＯＭ１を示し、（ｂ）は微振動波形用駆動信号ＣＯＭ２を示している。
図５（ａ）に例示した吐出用駆動信号ＣＯＭ１は、第１吐出パルスＤＰ１および第２吐出パルスＤＰ２を含んで構成されている。これらの吐出パルスＤＰ１，ＤＰ２は同一の波形となっており、その駆動電圧（吐出駆動電圧）ＤＶは、ノズル開口１６ｎからインクを吐出可能な値に設定されている。そして、駆動信号発生回路３７は、吐出パルスＤＰ１，ＤＰ２を単位周期Ｔ毎に繰り返し発生する。
【００３１】
吐出パルスは、圧力発生室１９を基準容積から最大膨張容積まで膨張させる膨張要素Ｐｃと、圧力発生室１９を最大膨張容積で短い時間維持させるホールド要素Ｐｈと、圧力発生室１９を最大膨張容積から基準容積まで収縮させる収縮要素Ｐｄとから構成される。本実施形態において、膨張要素Ｐｃは、接地電位ＧＮＤよりも少し高い基準電位Ｖｂから吐出電位ＶＨまでインクを吐出させない程度の所定勾配で電位を上昇させる波形要素となる。また、ホールド要素Ｐｈは吐出電位ＶＨで一定の波形要素であり、収縮要素Ｐｄは吐出電位ＶＨから基準電位Ｖｂまで膨張要素Ｐｃよりも急峻な勾配で電位を下降させる波形要素である。
【００３２】
これに対し、図５（ｂ）に例示した微振動用駆動信号ＣＯＭ２は、第１微振動パルスＶＰ１および第２微振動パルスＶＰ２を単位周期Ｔ内に含んで構成されている。これらの微振動パルスＶＰは、圧力発生室１９を基準容積から微振動膨張容積まで膨張させる微振動膨張要素ｐｃと、圧力発生室１９を微振動膨張容積で維持させる微振動ホールド要素ｐｈと、圧力発生室１９を微振動膨張容積から基準容積まで収縮させる微振動収縮要素ｐｄとから構成される。微振動膨張要素ｐｃは、基準電位Ｖｂから微振動電位Ｖｈまでインクを吐出させない程度の所定勾配で電位を上昇させる波形要素である。また、微振動ホールド要素ｐｈは微振動電位Ｖｈで一定の波形要素となり、微振動収縮要素ｐｄは微振動電位Ｖｈから基準電位Ｖｂまでインクを吐出させない程度の所定勾配で電位を下降させる波形要素となる。
【００３３】
このような微振動パルスを圧力発生源２６に供給すると、次のようにメニスカスが微振動する。即ち、微振動膨張要素ｐｃの供給によって薄肉部２３が弾性変形して個別電極２５側に撓み、圧力発生室１９が膨張する。この圧力発生室１９の膨張によってインク圧力が低下し、ノズル開口１６ｎに露出したメニスカスが圧力発生室１９側に引き込まれる。次に、微振動ホールド要素ｐｈが供給され、その供給期間に亘ってメニスカスが自由振動する。その後、微振動収縮要素ｐｄが供給されて薄肉部２３は圧力発生室１９側に変位する。これにより、圧力発生室１９が収縮してインク圧力が上昇し、メニスカスが吐出方向に移動する。このように、微振動パルスの供給によってメニスカスが圧力発生室１９側や吐出側に移動するので、ノズル開口１６ｎ付近のインクが攪拌されて増粘を抑えることができる。
【００３４】
次に、上記微振動パルスの設定情報（パラメータ）、特に、微振動電位ｋＶ、及び、微振動膨張要素ｐｃの始端から微振動収縮要素ｐｄの始端までの時間幅（パルス幅）ｋＰｗの設定について説明する。
【００３５】
図６は、微振動パルスの設定情報の設定処理を説明するフローチャートである。この微振動パルスの設定処理は、プリンタ１の製造工程で行われる。
まず、ステップＳ１において吐出インク量測定工程（本発明における吐出液体量測定工程に相当）が行われる。この吐出インク量測定工程では、微振動パルスの駆動電圧（微振動駆動電圧）をノズル開口１６ｎからインクを吐出し得る検査電圧（例えば、吐出パルスと同程度の駆動電圧）に設定し、当該微振動パルスを圧力発生源２６に印加してノズル開口１６ｎから吐出されるインクの量（吐出液体量）を測定する。この吐出インク量測定工程では、検査電圧に設定した微振動パルスを所定回数だけ繰り返し圧力発生源２６に供給する。これにより、微振動パルスの供給個数に応じた数だけノズル開口１６ｎからインクが吐出される。そして、吐出されたインクの総重量を電子天秤等で計測し、この計測結果と微振動パルスの供給個数に基づいてインク一滴あたりの重量を算出する。
【００３６】
上記吐出インク量測定工程（ステップＳ１）は、微振動膨張要素ｐｃの始端から微振動収縮要素ｐｄの始端までのパルス幅を異ならせて複数回行われる。そして、ステップＳ２では、吐出インク量測定工程を異なるパルス幅で複数回実行されたか否かが判定され、複数回実行されていない場合には、ステップＳ１に戻り、パルス幅を異ならせて再度吐出インク量測定工程が行われる。またステップＳ２において、吐出インク量測定工程を異なるパルス幅で複数回実行したと判定された場合、ステップＳ３に進み、複数回の吐出インク量測定工程の各測定結果から、パルス幅に対する吐出インク量の関係を示すパルス幅−吐出インク量特性を取得するパルス幅−吐出インク量特性取得工程が行われる。
【００３７】
図７は、パルス幅−吐出インク量特性の一例を示すグラフである。この例では、横軸が微振動パルスのパルス幅（微振動膨張要素ｐｃの始端から微振動収縮要素ｐｄの始端までの時間幅（μｓ））であり、縦軸が吐出インク量（インク重量（ｎｇ／ｓｈｏｔ））である。同図に示すように、駆動電圧を所定の検査電圧で一定にしつつパルス幅を変えることによって、吐出されるインク量が変動することが判る。そして、ステップＳ４では、このパルス幅−吐出液体量特性に基づき、吐出インク量が最も多く得られるパルス幅を最適パルス幅として取得する最適パルス幅取得工程が行われる。
【００３８】
続いて、ステップＳ５において、ステップＳ１〜Ｓ４の工程を、検査電圧を異ならせて複数回（少なくとも２回以上）実行したか否かが判定され、複数回実行されていない場合には、ステップＳ１〜Ｓ４の工程が再度実行される。一方、ステップＳ５において、ステップＳ１〜Ｓ４の処理が複数回実行されたと判定されたならば、ステップＳ６に進み、これまでの測定結果に基づき、駆動電圧に対する最適パルス幅の関係を示す電圧−パルス幅特性を求める電圧−パルス幅特性取得工程が行われる。
【００３９】
図８は、電圧−パルス幅特性の一例を示すグラフである。同図において、横軸は駆動電圧（Ｖ）、縦軸はパルス幅（μｓ）である。この例では、検査電圧を２２.５（Ｖ）、２４.５（Ｖ）、２６.５（Ｖ）の３点で上記の測定を行い、各電圧に対応する最適パルス幅を取得することで、図示するような特性が得られた。このように、駆動電圧と最適パルス幅とは反比例の関係となっている。そして、この例における特性の相関直線は、駆動電圧をＸ、最適パルス幅をＹとすると、以下のように求められる。
Ｙ＝−０.２４Ｘ＋１３．２３  …（１）
なお、上記式（１）についての情報は、電圧−パルス幅特性情報としてプリンタコントローラ２９の不揮発性記憶素子３４に記憶される。即ち、不揮発性記憶素子３４は、本発明における情報記憶手段として機能する。
【００４０】
続いて、ステップＳ７に移り、微振動パルスを上記の電圧−パルス幅特性に基づく駆動電圧と最適パルス幅に設定し、この微振動パルスを圧力発生源２６に印加することによりノズル開口１６ｎからのインクの吐出の有無を検証する。まず、例えば、微振動パルスの駆動電圧を上記の検査電圧のうちの最も低い値に設定して吐出の有無を検証を開始する。そして、ステップＳ８においてノズル開口１６ｎからインクの吐出が確認されたか否かが判定され、インクの吐出が確認された場合、微振動パルスの駆動電圧を、例えば数ボルトだけ低下させると共に、電圧−パルス幅特性に基づき、低下後の駆動電圧に対応するパルス幅に設定して、再度ステップＳ７の検証工程を実行する。
【００４１】
そして、ステップＳ８において、ノズル開口１６ｎからインクの吐出が確認されなかったと判定された場合、ステップＳ９に進み、ノズル開口１６ｎからインクが吐出されない範囲の駆動電圧を微振動駆動電圧として設定すると共に、電圧−パルス幅特性に基づき微振動駆動電圧に対応するパルス幅を微振動パルス幅として設定する微振動パルス設定工程を行う。
【００４２】
ここで、微振動パルス設定工程において設定する微振動駆動電圧と微振動パルス幅に関し、ステップＳ７でインクの吐出が確認されなくなった時点における微振動パルスに設定された値を採用することもできるが、この時点での駆動電圧は、微振動パルスの微振動駆動電圧として採り得る（インクが吐出されず、且つ、微振動時の攪拌効果が得られる）電圧値の有効範囲（最高値と最低値の差）の最高値に相当する。したがって、環境条件の変化（温度変化や気圧変化）等によっては、微振動制御時にノズル開口１６ｎからインクが誤って吐出される可能性もある。このため、本実施形態における微振動パルス設定工程では、この様な事情を考慮して、上記時点での値を採用せずに、以下のようにして各値を決めている。
【００４３】
具体的には、まず、吐出が確認されなくなった時点で微振動パルスに設定されている駆動電圧を仮微振動駆動電圧ｋＶ′とする。また、微振動パルスの微振動駆動電圧として採り得る電圧値の有効範囲をＲとし、以下の式（２）により、実際に設定するための微振動駆動電圧ｋＶを求める。
ｋＶ＝ｋＶ′−Ｒ×０.５  …（２）
例えば、仮微振動駆動電圧ｋＶ′が２０（Ｖ）、電圧値の有効範囲Ｒが５Ｖであった場合、微振動駆動電圧ｋＶは、ｋＶ＝２０−５×０.５＝１７.５（Ｖ）となる。
なお、微振動駆動電圧の有効範囲は、設計段階でヘッド内部の流路寸法の公差上下限の吐出ヘッド（ワーストヘッド）を用いて種々の電圧で吐出の有無を検証することで予め把握されるものである。そして、仮微振動駆動電圧ｋＶ′から有効範囲の１／２を減算することによって、微振動駆動電圧ｋＶを有効範囲の中心値に近い値としている。
【００４４】
上記のように微振動駆動電圧ｋＶが求められたならば、電圧−パルス幅特性に基づいて、この微振動駆動電圧ｋＶに対応する最適パルス幅を微振動パルス幅として採用する。
以上の各工程を経て、微振動パルスの微振動駆動電圧ｋＶと微振動パルス幅ｋＰｗが設定される。また、これ以外の設定情報（微振動膨張要素ｐｃや微振動収縮要素ｐｄの時間幅など）は、予め定められた値が採用される。そして、この微振動パルスの設定情報は、不揮発性記憶素子３４等の情報記憶手段に記憶され、プリンタ１での微振動制御時に制御部３５によって適宜読み出され、駆動信号発生回路３７は、微振動駆動電圧ｋＶと微振動パルス幅ｋＰｗに設定された微振動パルスを発生する。これにより、記録ヘッド２（或いはプリンタ１）毎に微振動パルスの設定値を最適化することができ、これにより、微振動制御時にノズル開口１６ｎからインクが誤って吐出されることを防止しつつ微振動制御によるインクの攪拌効果を十分に得ることが可能となる。
【００４５】
ここで、微振動制御時におけるインクの吐出をより確実に防止し、尚且つ、インクの攪拌効果を確保するために、プリンタ周辺の環境温度に応じて微振動パルスの設定情報（微振動パルスの微振動駆動電圧ｋＶ及び微振動パルス幅ｋＰｗ）を補正することが望ましい。即ち、制御部３５は、本発明における微振動パルス補正手段として機能し、温度検出回路３９から環境温度を取得し、取得した環境温度に応じて微振動駆動電圧ｋＶを補正する。このときの補正式は記録ヘッド毎に予め定められたものを用いる。
【００４６】
次に、制御部３５は、不揮発性記憶素子３４に記憶されている電圧−パルス幅特性情報に基づき、補正後の微振動駆動電圧ｋＶに対応する最適パルス幅を求め、これを微振動パルス幅ｋＰｗとして再設定する。
【００４７】
このように環境温度に応じて微振動パルスの設定情報のうち、微振動パルスの微振動駆動電圧ｋＶ及び微振動パルス幅ｋＰｗを補正することで、プリンタ１を使用する際の環境温度が変わった場合においても、この温度の変化に応じて適切な設定情報に設定された微振動パルスによって微振動制御を行うことができる。これにより、環境温度の変化に拘らず、微振動制御時におけるインクの吐出をより確実に防止し、尚且つ、インクの攪拌効果をより確実に確保することが可能となる。
【００４８】
なお、本発明は、上記した実施形態に限定されるものではなく、特許請求の範囲の記載に基づいて種々の変形が可能である。
【００４９】
例えば、上記実施形態においては、微振動パルス設定工程において、吐出が確認されなくなった時点における微振動パルスに設定されている駆動電圧を仮微振動駆動電圧ｋＶ′とし、上記式（２）により微振動駆動電圧ｋＶを求める例を示したが、これには限られない。例えば、微振動駆動電圧を、インクを吐出するための吐出パルスの吐出駆動電圧に基づいて設定しても良い。例えば、微振動駆動電圧ｋＶを、吐出駆動電圧の２／３以下に設定するようにしても良い。
【００５０】
また、上記実施形態においては、圧力発生手段として、圧力発生室１９の一方の面に設けられた可撓性電極（薄肉部２３）と、当該可撓性電極に対して間隔を空けて対向配置された固定電極（個別電極２５）とを有し、これらの間に発生する静電気力によって可撓性電極を撓ませることにより圧力発生室１９内に圧力変動を生じさせるように構成された圧力発生源２６を例示したが、これには限れず、同様な駆動信号（微振動パルス）を採用して駆動するものであれば、圧電素子等の各種圧力発生手段を用いる場合にも本発明を適用することができる。
【００５１】
また、本発明は、上記プリンタ以外の液体噴射装置にも適用できる。例えば、ディスプレー製造装置、電極製造装置、チップ製造装置等にも適用することができる。
【図面の簡単な説明】
【００５２】
【図１】プリンタの構成を説明する平面図である。
【図２】記録ヘッドの構成を説明する分解斜視図である。
【図３】記録ヘッドの圧力発生室長手方向の断面図である。
【図４】プリンタの電気的な構成を説明するブロック図である。
【図５】駆動信号の構成を説明する波形図である。
【図６】微振動パルスの設定情報の設定処理を説明するフローチャートである。
【図７】パルス幅−吐出インク量特性の一例を示すグラフである。
【図８】電圧−パルス幅特性の一例を示すグラフである。
【図９】微振動パルスの構成を説明する波形図である。
【符号の説明】
【００５３】
１…プリンタ，２…記録ヘッド，５…キャリッジ，６…インクカートリッジ，７…キャリッジ移動機構，８…紙送り機構，１４…インク供給チューブ，１５…流路形成基板，１６…ノズル形成基板，１６ｎ…ノズル開口，１７…電極基板，１９…圧力発生室，２３…薄肉部，２５…個別電極，２６…圧力発生源，２９…プリンタコントローラ，３０…プリントエンジン，３４…不揮発性記憶素子，３５…制御部，３７…駆動信号発生回路，３９…温度検出回路
【図１】
2009160827.tif 000003
【図２】
2009160827.tif 000004
【図３】
2009160827.tif 000005
【図４】
2009160827.tif 000006
【図５】
2009160827.tif 000007
【図６】
2009160827.tif 000008
【図７】
2009160827.tif 000009
【図８】
2009160827.tif 000010
【図９】
2009160827.tif 000011